(57)【要約】【課題】複数の異なる送信種別のいずれか一つ又は複数に関する複数の送信先情報が設定可能な同報送信機能を有する画像処理装置において，同じ送信種別に関する送信先情報を連続して入力する際のユーザ操作の手間を軽減することのできる画像処理装置を提供すること。【解決手段】ステップＳ４で複数の送信種別のいずれかが選択された後，次に他の送信種別が選択されるまでの間は，ステップＳ５で設定された入力モードを保持させた状態で送信先情報を連続して入力させるように処理する。【選択図】図３
2009010513.tif 000002
【特許請求の範囲】
【請求項１】
複数の異なる送信種別のいずれか一つ又は複数に関する複数の送信先情報を設定して画像情報を同報送信する同報送信手段を有する画像処理装置であって，
前記同報送信手段が，
複数の前記送信種別のいずれに関する前記送信先情報の入力を行うかを選択する送信種別選択手段と，
複数の前記送信種別に関する送信先情報の入力のために共用される入力共用キーの入力モードを，前記送信種別選択手段による選択結果に応じて数字入力モード及び文字入力モードのいずれかに設定する入力モード設定手段と，
前記送信種別選択手段により複数の前記送信種別のいずれかが選択された後，次に前記送信種別選択手段により他の前記送信種別が選択されるまでの間，前記入力モード設定手段による設定を保持させた状態で前記送信先情報を連続して入力させる連続入力手段と，
を備えてなることを特徴とする画像処理装置。
【請求項２】
複数の前記送信種別が，ファクシミリ送信と，電子メール送信及び／又はネットワーク送信とを含んでなる請求項１に記載の画像処理装置。
【請求項３】
前記送信種別選択手段が，予め設定された複数の前記送信種別のいずれか一つを初期選択するものであり，
前記入力モード設定手段が，前記送信種別選択手段による初期選択結果に応じて前記入力モードを初期設定するものである請求項１又は２のいずれかに記載の画像処理装置。
【発明の詳細な説明】
【技術分野】
【０００１】
本発明は，電話回線やＬＡＮ，その他の通信媒体を通じて画像データを送信するファクシミリ送信機能や電子メール送信機能，ネットワーク送信機能などを有する画像処理装置に関し，特に，複数の異なる送信種別のいずれか一つ又は複数に関する複数の送信先に同報送信する同報送信機能を有する画像処理装置に関するものである。
【背景技術】
【０００２】
一般に，画像読取装置などで読み取られて入力された原稿の画像データを，電話回線やＬＡＮ，その他の通信媒体を通じて送信するファクシミリ送信機能や電子メール送信機能，ネットワーク送信機能などを有する画像処理装置が知られている。このような画像処理装置におけるファクシミリ番号や電子メールアドレス，ネットワークアドレスなどの入力には共通のテンキーが用いられることが多い。
具体的には，図２に示すように，操作表示部１には，液晶ディスプレイ１１及び操作キー１２が設けられており，該操作キー１２には，数字入力及び文字入力に共用されるテンキー１２１，ジョブ開始操作や各種の確定操作を行うためのスタートキー１２２，送信先の設定を開始するための宛先キー１２３などが含まれている。そして，前記テンキー１２１の各キーには，図示するように，数字及び文字が各々対応づけられている（例えば，特許文献１参照）。例えば，図示するように，数字の「２」と文字の「ａ，ｂ，ｃ」とが一つのキーに対応づけられている。前記特許文献１に開示された文字入力装置では，キーが連続操作されることにより数字又は文字が入力される。
一方，必要に応じて前記テンキー１２１の入力モードを，数字を入力する数字入力モードと，文字を入力する文字入力モードとに切り換える画像処理装置もある。例えば，ファクシミリ送信を行う場合のファックス番号の入力時には数字入力モード，電子メール送信を行う場合の電子メールアドレスの入力時には文字入力モードが選択される。この選択は，ユーザにより手動で，或いは画像処理装置において自動的に行われる。
【０００３】
ところで，例えば特許文献２に開示されているように，異なる送信種別であるファクシミリ送信及び電子メール送信を同報する同報送信機能を有する画像処理装置がある。ここで，図２及び図６を参照しつつ，このような同報送信機能を備えた従来の画像処理装置において複数の送信先への同報送信を行う場合の操作例について説明する。
まず，ユーザによって前記宛先キー１２３が操作されることにより，前記液晶ディスプレイ１１には，図６（ａ）に示すように送信種別（ＦＡＸ，Ｅ−ｍａｉｌ，Ｆｏｌｄｅｒなど）を選択するための表示画面が表示される。
【０００４】
そして，ユーザによる前記テンキー１２１への操作入力によって送信種別が選択されると，前記液晶ディスプレイ１１の表示は，その選択された送信種別に関する送信先情報の入力画面に移行する。具体的に，Ｅ−ｍａｉｌが選択された場合には，図６（ｂ）に示すように電子メールアドレスの入力画面，ＦＡＸが選択された場合には，図６（ｄ）に示すようにＦＡＸ番号の入力画面が表示される。
このとき，前記テンキー１２１の入力モードは，選択された送信種別に応じて切り換えられる。具体的に，Ｅ−ｍａｉｌが選択された場合には，Ｅ−ｍａｉｌアドレス（送信先情報）をアルファベットで入力する必要があるため，前記テンキー１２１の入力モードは，文字入力モードに切り換えられる。したがって，ユーザにより前記テンキー１２１の「２」及び「ａ，ｂ，ｃ」に対応するキーが操作されると，図６（ｃ）に示すように，アルファベットの「ａ」が入力されることになる。一方，ＦＡＸが選択された場合には，ファックス番号（送信先情報）を数字で入力する必要があるため，前記テンキー１２１の入力モードは，数字入力モードに切り換えられる。したがって，ユーザにより前記テンキー１２１の「２」及び「ａ，ｂ，ｃ」に対応するキーが操作されると，図６（ｅ）に示すように，数字の「２」が入力されることになる。
【０００５】
その後，ユーザによりファックス番号や電子メールアドレスなどの送信先情報が入力され，前記スタートキー１２２の操作によりその入力が確定されると，前記液晶ディスプレイ１１の表示は，再度，図６（ａ）に示したように，送信種別を選択するための表示画面に移行する。
このように，従来の画像処理装置では，図６（ａ）〜（ｅ）の画面表示に従って複数の送信先情報が入力され，その複数の送信先情報に基づいて画像データの同報送信が行われる。
【特許文献１】特開２００３−１２２４８６号公報
【特許文献２】特開２００３−７８７０４号公報
【発明の開示】
【発明が解決しようとする課題】
【０００６】
ところで，前記画像処理装置では，複数の異なる送信種別に関する複数の送信先情報を入力することが可能であるため，その送信先情報の入力に先立って送信種別を選択させる必要がある。そのため，前述したように，一つの送信先情報の入力が終了する度に，前記液晶ディスプレイ１１の表示画面を図６（ａ）に移行させて，ユーザに送信種別を選択させることが考えられる。
しかしながら，この場合には，例えば同じ送信種別に関する複数の送信先情報を連続して入力する場合でも，その送信先情報各々の入力が終了する度に，再度送信種別を選択するための操作を行う必要があり，ユーザ操作が煩雑であるという問題があった。
従って，本発明は前記事情に鑑みてなされたものであり，その目的とするところは，複数の異なる送信種別のいずれか一つ又は複数に関する複数の送信先情報が設定可能な同報送信機能を有する画像処理装置において，同じ送信種別に関する送信先情報を連続して入力する際のユーザ操作の手間を軽減することのできる画像処理装置を提供することにある。
【課題を解決するための手段】
【０００７】
前記目的を達成するために本発明は，複数の異なる送信種別のいずれか一つ又は複数に関する複数の送信先情報を設定して画像情報を同報送信する同報送信手段を有する画像処理装置に適用されるものであって，前記同報送信手段が，下記の（１）〜（３）の各手段を備えて構成される。
（１）複数の前記送信種別のいずれに関する前記送信先情報の入力を行うかを選択する送信種別選択手段。ここで，複数の前記送信種別は，例えば，ファクシミリ送信と，電子メール送信及び／又はネットワーク送信とを含むものであることが考えられる。
（２）複数の前記送信種別に関する送信先情報の入力のために共用される入力共用キーの入力モードを，前記送信種別選択手段による選択結果に応じて数字入力モード及び文字入力モードのいずれかに設定する入力モード設定手段。例えば，前記送信種別がファクシミリ送信である場合には前記数字入力モード，電子メール送信及び／又はネットワーク送信である場合には前記文字入力モードに設定される。
（３）前記送信種別選択手段により複数の前記送信種別のいずれかが選択された後，次に前記送信種別選択手段により他の前記送信種別が選択されるまでの間，前記入力モード設定手段による設定を保持させた状態で前記送信先情報を連続して入力させる連続入力手段。
このように構成された前記画像処理装置では，一度，前記送信種別が選択されると，次に他の前記送信種別が変更されるまでの間は，初めに選択された入力モードの設定が保持されるため，同じ送信種別に関する送信先情報を連続して入力する場合に，その都度，送信種別を選択するという操作を行う必要がなく，ユーザ操作の手間を軽減することができる。
また，前記送信種別選択手段が，予め設定された複数の前記送信種別のいずれか一つを初期選択するものであり，前記入力モード設定手段が，前記送信種別選択手段による初期選択結果に応じて前記入力モードを初期設定するものであることが考えられる。これにより，例えば，よく利用する送信種別を初期選択しておくことで，初めにその送信種別を選択する操作の頻度を少なくすることができ，ユーザ操作の手間をより軽減することができる。
【発明の効果】
【０００８】
本発明によれば，一度，前記送信種別が選択されると，次に他の前記送信種別が変更されるまでの間は，初めに選択された入力モードの設定が保持されるため，同じ送信種別に関する送信先情報を連続して入力する場合に，その都度，送信種別を選択するという操作を行う必要がなく，ユーザ操作の手間を軽減することができる。
また，前記送信種別選択手段が，予め設定された複数の前記送信種別のいずれか一つを初期選択するものであり，前記入力モード設定手段が，前記送信種別選択手段による初期選択結果に応じて前記入力モードを初期設定するものであれば，例えば，よく利用する送信種別を初期選択しておくことで，初めにその送信種別を選択する操作の頻度を少なくすることができ，ユーザ操作の手間をより軽減することができる。
【発明を実施するための最良の形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る複合機Ｘの概略構成を示すブロック図，図２は前記複合機Ｘに設けられた操作表示部１の模式図，図３は前記複合機Ｘにおいて実行される同報送信処理の手順の一例を説明するフローチャート，図４は前記同報送信処理における液晶ディスプレイ１１の画面遷移を示す図である。
まず，図１を用いて，本発明の実施の形態に係る複合機Ｘの概略構成について説明する。
図１のブロック図に示すように，前記複合機Ｘは，操作表示部１と，スキャナ部２と，画像処理部３と，画像形成部４と，ファクシミリ通信部５と，ＬＡＮ通信部６１及び電子メール送信部６２と，制御部７と，を備えて概略構成されている。また，前記複合機Ｘは，電話回線８を介してファクシミリ装置Ａと接続され，ＬＡＮ９を介してパーソナルコンピュータ等の情報処理装置Ｂと接続される。さらに，前記複合機Ｘは，ＡＤＳＬ回線や光回線，前記電話回線８，前記ＬＡＮ９などの通信回線１０を介してインターネット網Ｎに接続される。
前記制御部７は，ＣＰＵ及びその他周辺装置（ＲＯＭ，ＲＡＭ等）からなり，当該複合機Ｘを統括的に制御するものであって，前記ＲＯＭに格納された所定のプログラムに従った処理を実行することによって，複写ジョブ，プリンタジョブ，ファクシミリジョブ，スキャンジョブ等，各種のジョブを実現する。
また，前記複合機Ｘは，複数の異なる送信種別のいずれか一つ又は複数に関する複数の送信先を設定して画像データ（画像情報）を同報送信する同報送信機能を有している。かかる同報送信機能は，前記制御部７によって，後述の同報送信処理（図３のフローチャート参照）が実行されることにより具現される。ここに，かかる同報送信処理を実行するときの前記制御部７が同報送信手段に相当する。
【００１０】
前記ファクシミリ通信部５は，前記電話回線８を介して画像データを前記ファクシミリ装置Ａに送信し，或いは前記ファクシミリ装置Ａから画像データを受信する処理を行うものであって，モデム装置（変復調装置）がその典型例である。具体的に，前記ファクシミリ通信部５は，後述の同報送信処理（図３のフローチャート参照）で設定されたファックス番号（送信先情報の一例）を送信先として画像データを送信する。
前記ＬＡＮ通信部６１は，ＩＥＥＥ８０２．３規格やＩＥＥＥ８０２．１１ｂ規格などに準拠した有線又は無線による通信媒体，通信機器などからなり，前記ＬＡＮ９を介した前記情報処理装置Ｂとの通信を可能にするものである。具体的に，前記ＬＡＮ通信部６１は，後述の同報送信処理（図３のフローチャート参照）で設定されたネットワークアドレス（送信先情報の一例）を送信先として画像データを送信する。なお，前記ネットワークアドレスは，例えば前記ＬＡＮ９上に存在する記憶領域（ファイルフォルダ）を識別するための情報である。
前記電子メール送信部６２は，前記通信回線１０を通じて前記インターネット網を介する画像データの電子メール送信を可能にするものである。具体的に，前記電子メール送信部６２は，後述の同報送信処理（図３のフローチャート参照）で設定された電子メールアドレス（送信先情報の一例）を送信先として画像データを送信する。
【００１１】
前記スキャナ部２は，ＣＣＤ（Charge Coupled Device）やＣＩＳ（Contact Image Sensor）等のイメージセンサを備えており，原稿台にセットされた原稿を走査することによって，該原稿の画像情報をライン毎に読み取って電子データ化するものである。
前記画像処理部３は，前記スキャナ部２により読み取られた原稿の画像データ，或いは，前記ファクシミリ装置Ａや前記情報処理装置Ｂから受信した原稿の画像データに所定の画像処理（圧縮処理，濃度補正処理等）を施すものである。
前記画像形成部４は，前記画像処理部３により所定の画像処理が施された画像データに応じた可視像（例えばトナー像）を記録紙に転写させて定着させるものであり，感光体ドラム，該感光体ドラムの表面を所定電位に一様に帯電させる帯電装置，前記感光体ドラムの表面を露光走査して静電潜像を形成するＬＳＵ，前記静電潜像にトナーを付着させて現像する現像装置，現像されたトナー画像を記録紙に転写する転写装置，転写されたトナー像を記録紙に定着させる定着装置などの周知の各種装置を備えて構成されている。
また，前記複合機Ｘでは，ユーザによる前記操作表示部１への操作要求に応じて，前記画像処理部３により所定の画像処理が施された画像データが，前記ファクシミリ通信部５や，前記ＬＡＮ通信部６１，前記電子メール送信部６２などによって送信される。
【００１２】
ここで，図２の模式図を用いて，前記操作表示部１について説明する。
図２に示すように，前記操作表示部１は，当該複合機Ｘに関する各種の設定項目が表示される液晶ディスプレイ１１や，前記各種の設定項目を設定するための操作入力が行われる操作キー１２などを有している。
前記操作キー１２は，ユーザによる数字入力及び文字入力に共用されるテンキー１２１（入力共用キーの一例）や，前記テンキー１２１による各種入力の確定や各種のジョブの開始などに用いられるスタートキー１２２，画像データの送信先の設定を開始するための宛先キー１２３などを有している。
前記テンキー１２１のキー各々には，図２に示すように，数字及び文字が対応づけられている。例えば，数字の「２」とアルファベット（文字）の「ａ，ｂ，ｃ」とが一つのキーに対応づけられている。
前記複合機Ｘでは，前記制御部７により，必要に応じて前記テンキー１２１の入力モードが，数字を入力する数字入力モードと，文字を入力する文字入力モードとに切り換えられる。前記数字入力モードでは，前記テンキー１２１のキーが操作されたときに，該キーに対応づけられた数字が入力され，前記文字入力モードでは，前記テンキー１２１のキーが操作されたときに，該キーに対応づけられた文字が入力される。
【００１３】
以下，図３及び図４を参照しつつ，前記複合機Ｘにおいて前記制御部７によって実行される同報送信処理の手順の一例について説明する。ここに，図３中のＳ１，Ｓ２，…は処理手順（ステップ）の番号を表している。
（ステップＳ１〜Ｓ２）
図３に示すように，ステップＳ１で，前記制御部７は，ユーザによる前記宛先キー１２３の操作を待ち受ける（Ｓ１のＮｏ側）。そして，前記制御部７によって，前記宛先キー１２３の操作がなされたと判断されると（Ｓ１のＹｅｓ側），処理はステップＳ２に移行する。
ステップＳ２で，前記制御部７は，前記液晶ディスプレイ１１を制御することにより，該液晶ディスプレイ１１に，ユーザに送信種別を選択させるための表示画面を表示させる。ここに，図４（ａ）は，送信種別を選択させるための表示画面の一例を示している。ここでは，前記テンキー１２１の「１」がファクシミリ送信（送信種別の一例）を示すＦＡＸ，「２」が電子メール送信（送信種別の一例）を示すＥ−ｍａｉｌ，「３」がネットワーク送信（送信種別の一例）を示すＦｏｌｄｅｒに対応することが表示されている。
【００１４】
（ステップＳ３〜Ｓ４）
その後，ステップＳ３〜Ｓ４では，前記制御部７によって，複数の前記送信種別のいずれに関する前記送信先情報の入力を行うかを選択するための処理が実行される。
具体的に，前記制御部７は，まずステップＳ３で，ユーザによる前記テンキー１２１への前記送信種別の選択操作，即ち前記テンキー１２１の「１」〜「３」のいずれかの操作を待ち受ける（Ｓ３のＮｏ側）。ここで，前記制御部７によって，ユーザによる前記選択操作がなされたと判断された場合には（Ｓ３のＹｅｓ側），処理はステップＳ４に移行する。
そして，ステップＳ４で，前記制御部７は，ユーザによる前記テンキー１２１への前記送信種別の選択操作に従って，複数の前記送信種別のいずれに関する前記送信先情報の入力を行うかを選択する。例えば，前記テンキー１２１の「１」が操作された場合には，送信種別としてファクシミリ送信を選択する。ここに，かかる選択処理を実行するときの前記制御部７が送信種別選択手段に相当する。
【００１５】
（ステップＳ５）
次に，ステップＳ５で，前記制御部７は，前記ステップＳ４で選択された送信種別が数字入力モードに対応するものであるか否かを判断することにより，該送信種別が数字入力モード及び文字入力モードのいずれに対応するものであるかを判断する。前記送信種別が数字入力モードに対応するものでなければ，該送信種別は文字入力モードに対応するものであると判断される。
具体的には，予め前記制御部７のＲＯＭなどの記憶手段に，ファクシミリ送信は数字入力モード，電子メール送信及びネットワーク送信は文字入力モードに対応することを記憶させておくことが考えられる。これにより，前記制御部７は，その情報を参照することで，前記送信種別各々に対応する入力モードを判断することができる。
前記ステップＳ５において，前記ステップＳ４で選択された送信種別に対応する入力モードが数字入力モードであると判断された場合には，処理はステップＳ６に移行し，文字入力モードであると判断された場合には，処理はステップＳ８に移行する。
【００１６】
（ステップＳ６〜Ｓ８）
前記送信種別が数字入力モードに対応するものであると判断された場合には（Ｓ５のＹｅｓ側），前記制御部７によって，前記テンキー１２１の入力モードが数字入力モードに設定される（Ｓ６）。
一方，前記送信種別が数字入力モードではなく，文字入力モードに対応するものであると判断された場合には（Ｓ５のＮｏ側），前記制御部７によって，前記テンキー１２１の入力モードが文字入力モードに設定される（Ｓ７）。
ここに，前記ステップＳ６又は前記ステップＳ７において，前記テンキー１２１の入力モードを，前記ステップＳ４における選択結果に応じて数字入力モード及び文字入力モードのいずれかに設定するときの前記制御部７が入力モード設定手段に相当する。
その後，ステップＳ８では，前記制御部７によって，前記液晶ディスプレイ１１が制御されることにより，前記送信種別に対応する入力画面が表示される。ここに，図４（ｂ）は，電子メール送信に対応する入力画面の一例，図４（ｄ）は，ファクシミリ送信に対応する入力画面の一例を示している。
【００１７】
（ステップＳ９）
そして，続くステップＳ９で，前記制御部７は，ユーザによる前記テンキー１２１への操作入力に従って，ファックス番号，電子メールアドレス，又はネットワークアドレスの入力処理を実行する。このとき，前記テンキー１２１の入力モードは，前記ステップＳ６又は前記ステップＳ７で設定された入力モードである。
具体的に，前記ステップＳ４においてファクシミリ送信が選択されている場合など，前記テンキー１２１の入力モードが数字入力モードに設定されている場合（Ｓ６）には，図４（ｄ）の表示状態で，前記テンキー１２１の「２」及び「ａ，ｂ，ｃ」に対応するキーが操作されると，図４（ｅ）に示すように，数字の「２」が入力される。
また，前記ステップＳ４において電子メール送信が選択されている場合など，前記テンキー１２１の入力モードが文字入力モードに設定されている場合（Ｓ７）には，図４（ｂ）の表示状態で，前記テンキー１２１の「２」及び「ａ，ｂ，ｃ」に対応するキーが操作されると，図４（ｃ）に示すように，アルファベットの「ａ」が入力される。
【００１８】
（ステップＳ１０〜Ｓ１１）
続くステップＳ１０では，ユーザによって前記宛先キー１２３が操作されたか否かが前記制御部７によって判断される。ここで，前記宛先キー１２３が操作されたと判断された場合には（Ｓ１０のＹｅｓ側），処理は前記ステップＳ２に戻る。そして，前記ステップＳ２以降では，再度，送信種別の選択が行われ，その選択結果に応じて入力モードが選択される。これにより，異なる送信種別の送信先情報を入力することができる。
一方，前記ステップＳ１０において，前記宛先キー１２３が操作されていないと判断されている場合には（Ｓ１０のＮｏ側），処理はステップＳ１１に進む。
ステップＳ１１では，前記制御部７によって，ユーザによって前記スタートキー１２２が操作されたか否かが判断される。ここで，前記スタートキー１２２が操作されたと判断されると（Ｓ１１のＹｅｓ側），前記ステップＳ１０における入力が確定され，処理はステップＳ１３に移行する。
一方，前記スタートキー１２３が操作されていないと判断されている場合には（Ｓ１１のＮｏ側），処理はステップＳ９に戻る。このように，前記宛先キー１２３又は前記スタートキー１２２のいずれかが操作されるまでの間，前記ステップＳ９が繰り返し実行されることにより，複数桁又は複数文字からなる送信先情報が入力される。
【００１９】
（ステップＳ１２〜Ｓ１３）
ステップＳ１２では，前記制御部７によって，前記ステップＳ９において何らかの送信先情報が入力されているか否かが判断される。ここで，送信先情報が入力されていると判断された場合には（Ｓ１２のＹｅｓ側），処理はステップＳ１３に移行し，送信先情報が入力されていないと判断された場合には（Ｓ１２のＮｏ側），全ての送信先情報の入力が終了したと判断されて処理はステップＳ１４に移行する。
ステップＳ１３では，前記制御部７によって，前記ステップＳ９で入力された送信先情報が，同報送信情報の一つとして該制御部７のＲＡＭなどの記憶手段に一時記憶され，処理はステップＳ８に戻る。このとき，前記テンキー１２１の入力モードは，前回送信先情報を入力したときの入力モードに保持されており，前記ステップＳ８では，その保持された入力モードに対応する入力画面が表示される（図４（ｂ）又は図４（ｄ）参照）。
【００２０】
即ち，当該同報送信処理においては，複数の送信種別に関する送信先情報の入力のために共用される前記テンキー１２１の入力モードを，前記送信種別に応じて数字入力モード及び文字入力モードのいずれかに設定した後，次に他の送信種別が選択されるまでの間は，その入力モードを保持した状態で送信先情報を連続して入力させるように処理される。ここに，かかる処理を実行するときの前記制御部７が連続入力手段に相当する。
例えば，一度，ファクシミリ送信が選択されると，前記テンキー１２１の入力モードは，他の送信種別である電子メール送信やネットワーク送信が選択されるまでの間，数字入力モードで保持され，前記液晶ディスプレイ１１の表示画面は，ファックス番号を入力するための入力画面で保持される。
したがって，前記複合機Ｘでは，同じ送信種別に関する複数の送信先情報を入力する場合，一つの送信先情報の入力が終了する度に送信種別を選択する必要がなく，ユーザ操作の手間を軽減することができる。
【００２１】
（ステップＳ１４）
最後に，ステップＳ１４では，前記制御部７によって，前記ステップＳ１４で一時記憶された前記同報送信情報に基づく画像データの送信処理が実行される。具体的には，前記スキャナ部２による原稿の読取処理や，前記ファクシミリ通信部５，前記電子メール送信部６１，前記ＬＡＮ通信部６２などによる画像データの送信処理が実行される。
このとき，前記同報送信情報に含まれた送信先情報が一つである場合にはその送信先情報に対応する一つの送信先に対して前記画像データが送信される。一方，前記同報送信情報に含まれた送信先情報が複数である場合には，その複数の送信先情報に対応する複数の送信先に対して前記画像データが同報送信される。なお，前記同報送信情報は，当該同報送信処理が実行された後，前記制御部７によって消去（リセット）される。
【実施例】
【００２２】
前記実施の形態では，前記同報送信処理における前記ステップＳ２〜Ｓ４で，初めの送信種別を選択するための処理が実行されているが，この処理を省略することも考えられる。
ここに，図５は，前記同報送信処理の他の例を説明するためのフローチャートである。なお，図３で示した同報送信処理の処理手順と同様の処理手順には同じ符号を付してその説明を省略する。
図５に示すように，本実施例に係る同報送信処理では，前記ステップＳ１で前記宛先キー１２３が操作されたと判断された場合には（Ｓ１のＹｅｓ側），次にステップＳ１０１が実行される。
前記ステップＳ１０１では，前記制御部７が，ファクシミリ送信，電子メール送信，ネットワーク送信などの複数の送信種別の中からいずれか一つを自動的に初期選択する。ここに，かかる初期選択を行うときの前記制御部７が送信種別選択手段の一例である。このとき初期選択される送信種別は，例えばユーザによる当該複合機Ｘの初期設定で予め定められるものである。
そして，続く前記ステップＳ５では，前記制御部７によって前記ステップＳ１０１で初期選択された送信種別に応じて前記テンキー１２１の入力モードが初期設定される。ここに，かかる初期設定を行うときの前記制御部７が，入力モード設定手段の一例である。例えば，前記ステップＳ１０１で初期選択される送信種別としてファクシミリ送信が選択されている場合には，前記テンキー１２１の入力モードが数字入力モードに初期設定される。その後，前記ステップＳ６以後では前記実施の形態の説明と同様に処理が進行する。
したがって，前記ステップＳ１０において前記宛先キー１２３が操作されて，他の送信種別が選択されるまでの間は，前記初期設定された入力モードが保持されることになる。
このような構成では，例えば，ユーザは，よく利用する送信種別を前記ステップＳ１０１で初期選択されるものとして予め設定しておくことで，初めにその送信種別を選択する操作の頻度を少なくすることができ，ユーザ操作の手間をより軽減させることができる。
【図面の簡単な説明】
【００２３】
【図１】本発明の実施の形態に係る複合機の概略構成を示すブロック図。
【図２】本発明の実施の形態に係る複合機に設けられた操作表示部の模式図。
【図３】本発明の実施の形態に係る複合機において実行される同報送信処理の手順の一例を説明するフローチャート。
【図４】同報送信処理における液晶ディスプレイの画面遷移を示す図。
【図５】同報送信処理の他の例を説明するためのフローチャート。
【図６】従来の同報送信処理を説明するための図。
【符号の説明】
【００２４】
１…操作表示部
１１…液晶ディスプレイ
１２…操作キー
１２１…テンキー
１２２…スタートキー
１２３…宛先キー
２…スキャナ部
３…画像処理部
４…画像形成部
５…ファクシミリ通信部
６１…ＬＡＮ通信部
６２…電子メール送信部
７…制御部
８…電話回線
９…ＬＡＮ
１０…通信回線
Ａ…ファクシミリ装置
Ｂ…情報処理装置
Ｎ…インターネット網
Ｘ…複合機（画像処理装置の一例）
Ｓ１，Ｓ２，，，…処理手順（ステップ）番号
【図１】
2009010513.tif 000003
【図２】
2009010513.tif 000004
【図３】
2009010513.tif 000005
【図４】
2009010513.tif 000006
【図５】
2009010513.tif 000007
【図６】
2009010513.tif 000008